(57)【要約】【課題】  オペレータが受取金額の一部又は全部を盗むという不正を防止することができる商品販売データ処理装置を提供する。【解決手段】  貨幣入出金装置に対して投入された投入金額と入力された受取金額とを比較し（Ｓ７）、投入金額が少ないと判断した場合には、貨幣入出金装置における貨幣払出処理が禁止される（Ｓ８）。これにより、顧客から受け取った貨幣の金額を入力処理する釣銭先行モードであっても、必ず貨幣入出金装置に対して投入された投入金額と入力された受取金額とが比較され、投入金額が受取金額よりも少ないと判断された場合には貨幣入出金装置における貨幣払出処理が禁止され、オペレータが受取金額の一部又は全部を盗むという不正を防止することができる。【選択図】    図９
2005228098.tif 000002
【特許請求の範囲】
【請求項１】
商品の販売に係る販売データを処理する商品販売データ処理装置において、
貨幣を金種別に収納して収納された貨幣を払い出すようにした貨幣入出金装置とのデータ通信を司るデータ通信手段と、
前記貨幣入出金装置に対して投入された投入金額を、前記データ通信手段を介して受信する投入金額受信手段と、
客から受け取った受取金額の入力を受け付ける受取金額入力手段と、
前記投入金額受信手段により受信した前記貨幣入出金装置における投入金額と前記受取金額入力手段により入力された受取金額とを比較する比較手段と、
この比較手段により投入金額が受取金額よりも少ないと判断された場合には、前記貨幣入出金装置における貨幣払出処理を禁止する貨幣払出処理禁止手段と、
を備えることを特徴とする商品販売データ処理装置。
【請求項２】
前記貨幣払出処理禁止手段は、前記貨幣入出金装置における貨幣払出処理を禁止する際に、投入金額が受取金額より少ない旨を報知する、
ことを特徴とする請求項１記載の商品販売データ処理装置。
【請求項３】
前記比較手段により投入金額が受取金額より多いと判断された場合には、その旨を報知する警告手段を備える、
ことを特徴とする請求項１または２記載の商品販売データ処理装置。
【請求項４】
前記受取金額入力手段により入力が受け付けられた受取金額は、商品販売の代金を含む、
ことを特徴とする請求項１ないし３の何れか一記載の商品販売データ処理装置。
【請求項５】
前記受取金額入力手段により入力が受け付けられた受取金額は、両替金を含む、
ことを特徴とする請求項１ないし３の何れか一記載の商品販売データ処理装置。
【請求項６】
貨幣を金種別に収納して収納された貨幣を払い出すようにした貨幣入出金部と、商品の販売に係る販売データを処理する商品販売データ処理部とを具備する商品販売データ処理システムにおいて、
前記商品販売データ処理部で客から受け取った受取金額の入力を受け付ける受取金額入力手段と、
前記貨幣入出金部に対して投入された投入金額を検出する投入金額検出手段と、
前記貨幣入出金部に対して投入された投入金額と、前記商品販売データ処理部で入力された受取金額とを比較する比較手段と、
この比較手段により投入金額が受取金額よりも少ないと判断された場合には、前記貨幣入出金部における貨幣払出処理を禁止する貨幣払出処理禁止手段と、
を備えることを特徴とする商品販売データ処理システム。
【請求項７】
前記貨幣払出処理禁止手段は、前記貨幣入出金装置における貨幣払出処理を禁止する際に、投入金額が受取金額より少ない旨を報知する、
ことを特徴とする請求項６記載の商品販売データ処理システム。
【請求項８】
前記比較手段により投入金額が受取金額より多いと判断された場合には、その旨を報知する警告手段を備える、
ことを特徴とする請求項６または７記載の商品販売データ処理システム。
【請求項９】
前記受取金額入力手段により入力が受け付けられた受取金額は、商品販売の代金を含む、
ことを特徴とする請求項６ないし８の何れか一記載の商品販売データ処理システム。
【請求項１０】
前記受取金額入力手段により入力が受け付けられた受取金額は、両替金を含む、
ことを特徴とする請求項６ないし８の何れか一記載の商品販売データ処理システム。
【請求項１１】
商品の販売に係る販売データを処理する商品販売データ処理装置を制御するコンピュータに読取可能なプログラムであって、
貨幣を金種別に収納して収納された貨幣を払い出すようにした貨幣入出金装置とのデータ通信を司るデータ通信機能と、
前記貨幣入出金装置に対して投入された投入金額を、前記データ通信手段を介して受信する投入金額受信機能と、
客から受け取った受取金額の入力を受け付ける受取金額入力機能と、
前記投入金額受信機能により受信した前記貨幣入出金装置における投入金額と前記受取金額入力機能により入力された受取金額とを比較する比較機能と、
この比較機能により投入金額が受取金額よりも少ないと判断された場合には、前記貨幣入出金装置における貨幣払出処理を禁止する貨幣払出処理禁止機能と、
を前記コンピュータに実行させることを特徴とするプログラム。
【請求項１２】
貨幣を金種別に収納して収納された貨幣を払い出すようにした貨幣入出金部と、商品の販売に係る販売データを処理する商品販売データ処理部とを具備する商品販売データ処理システムを制御するコンピュータに読取可能なプログラムであって、
前記商品販売データ処理部で客から受け取った受取金額の入力を受け付ける受取金額入力機能と、
前記貨幣入出金部に対して投入された投入金額を検出する投入金額検出機能と、
前記貨幣入出金部に対して投入された投入金額と、前記商品販売データ処理部で入力された受取金額とを比較する比較機能と、
この比較機能により投入金額が受取金額よりも少ないと判断された場合には、前記貨幣入出金部における貨幣払出処理を禁止する貨幣払出処理禁止機能と、
を前記コンピュータに実行させることを特徴とするプログラム。
【発明の詳細な説明】
【技術分野】
【０００１】
本発明は、例えばスーパーマーケットやコンビニエンスストア等において使用されるＰＯＳ（Point of Sales：販売時点管理）端末等の商品販売データ処理装置、商品販売データ処理システム及びプログラムに関する。
【背景技術】
【０００２】
貨幣入出金装置は、大きく分類して、入金確定タイプのものと、釣銭先行タイプのものとの２種類が存在する（例えば、特許文献１参照）。
【０００３】
入金確定タイプの貨幣入出金装置は、置数キーを操作することなく、顧客から受け取った硬貨や紙幣からなる貨幣を貨幣処理装置に供給するものである。こうすることによって貨幣が金種毎に識別されて勘定され、確定した入金額がＰＯＳ端末の表示部に表示されるとともに、入金額から売上額が差し引かれて釣銭が出金口に払い出されるようになっている。かかる入金確定タイプのものによれば、顧客から受け取った貨幣の金額を、ＰＯＳ端末の置数キーから入力する必要がなく便利である。
【０００４】
これに対して釣銭先行タイプの貨幣入出金装置は、顧客から受け取った貨幣の金額をまずＰＯＳ端末の置数キーを操作して入力処理するものである。かかる釣銭先行タイプの貨幣入出金装置によれば、貨幣処理装置に貨幣を供給する前に釣銭の計算が行われて釣銭が払い出され、この釣銭を顧客に返却してからやおら受け取った貨幣を貨幣処理装置に供給するのである。供給された貨幣は、上記同様に金種の識別が行われた上で金額が検出され、同装置内に収納されることになる。
【０００５】
【特許文献１】特許第３３０８２４４号公報
【発明の開示】
【発明が解決しようとする課題】
【０００６】
顧客から受け取った貨幣の金額をまずＰＯＳ端末の置数キーを操作して入力処理する釣銭先行モードによれば、置数入力による予定額を預り金額として採用することになる。すなわち、受け取った貨幣を貨幣入出金装置に投入しなくても貨幣入出金装置から釣銭が払い出されるため、取引終了後にオペレータが受取金額の一部又は全部を貨幣入出金装置に投入することなく盗むという不正を働くことが可能である。そのため、この種の不正を防止することが必要となっている。
【０００７】
なお、特許文献１の貨幣入出金装置では、入金確定モードが選択されている場合には上述したような問題が発生することはないが、釣銭先行モードが選択されている場合には上述したような問題が発生することになる。この意味で、上述した問題を解決するものではない。
【０００８】
本発明は、オペレータが受取金額の一部又は全部を盗むという不正を防止することができる商品販売データ処理装置、商品販売データ処理システム及びプログラムを提供することを目的とする。
【課題を解決するための手段】
【０００９】
本発明の商品販売データ処理装置は、商品の販売に係る販売データを処理する商品販売データ処理装置において、貨幣を金種別に収納して収納された貨幣を払い出すようにした貨幣入出金装置とのデータ通信を司るデータ通信手段と、前記貨幣入出金装置に対して投入された投入金額を、前記データ通信手段を介して受信する投入金額受信手段と、客から受け取った受取金額の入力を受け付ける受取金額入力手段と、前記投入金額受信手段により受信した前記貨幣入出金装置における投入金額と前記受取金額入力手段により入力された受取金額とを比較する比較手段と、この比較手段により投入金額が受取金額よりも少ないと判断された場合には、前記貨幣入出金装置における貨幣払出処理を禁止する貨幣払出処理禁止手段と、を備える。
【００１０】
したがって、貨幣入出金装置に対して投入された投入金額と入力された受取金額とを比較し、投入金額が少ないと判断した場合には、貨幣入出金装置における貨幣払出処理が禁止される。これにより、顧客から受け取った貨幣の金額を入力処理する釣銭先行モードであっても、必ず貨幣入出金装置に対して投入された投入金額と入力された受取金額とが比較され、投入金額が受取金額よりも少ないと判断された場合には貨幣入出金装置における貨幣払出処理が禁止され、オペレータが受取金額の一部又は全部を盗むという不正を防止することが可能になる。
【００１１】
本発明の商品販売データ処理システムは、貨幣を金種別に収納して収納された貨幣を払い出すようにした貨幣入出金部と、商品の販売に係る販売データを処理する商品販売データ処理部とを具備する商品販売データ処理システムにおいて、前記商品販売データ処理部で客から受け取った受取金額の入力を受け付ける受取金額入力手段と、前記貨幣入出金部に対して投入された投入金額を検出する投入金額検出手段と、前記貨幣入出金部に対して投入された投入金額と、前記商品販売データ処理部で入力された受取金額とを比較する比較手段と、この比較手段により投入金額が受取金額よりも少ないと判断された場合には、前記貨幣入出金部における貨幣払出処理を禁止する貨幣払出処理禁止手段と、を備える。
【００１２】
したがって、貨幣入出金部に対して投入された投入金）と入力された受取金額とを比較し、投入金額が少ないと判断した場合には、貨幣入出金部における貨幣払出処理が禁止される。これにより、顧客から受け取った貨幣の金額を入力処理する釣銭先行モードであっても、必ず貨幣入出金部に対して投入された投入金額と入力された受取金額とが比較され、投入金額が受取金額よりも少ないと判断された場合には貨幣入出金部における貨幣払出処理が禁止され、オペレータが受取金額の一部又は全部を盗むという不正を防止することが可能になる。
【発明の効果】
【００１３】
本発明によれば、オペレータが受取金額の一部又は全部を盗むという不正を防止することができる。
【発明を実施するための最良の形態】
【００１４】
[第一の実施の形態]
本発明の第一の実施の形態を図１ないし図１１に基づいて説明する。
【００１５】
図１は、ＰＯＳ端末１、硬貨入出金装置２及び紙幣入出金装置３の外観を示す斜視図である。本実施の形態は、コンビニエンスストア等で使用される商品販売データ処理装置であるＰＯＳ端末１、このＰＯＳ端末１が載置される貨幣入出金装置である硬貨入出金装置２及び紙幣入出金装置３を備えたシステムへの適用例である。
【００１６】
[ＰＯＳ端末１の説明]
まず、商品販売データ処理としてのＰＯＳ端末１について説明する。本実施の形態のＰＯＳ端末１は、図１に示すように、硬貨入出金装置２及び紙幣入出金装置３上に載置されている。このＰＯＳ端末１には、各種のキーが集合するキーボード４、図示しない鍵によってＰＯＳ端末１の動作モードを登録モード・設定モード・精算モード・点検モード等の各業務モードに切り替え設定するためのコントロールキー５、プリンタ６（図３参照）によって印字される取引レシート等を発行するレシート発行口７及びジャーナル窓８が設けられている。また、ＰＯＳ端末１の右側上方には、操作者側の表示部として機能するディスプレイ９が配置され、このディスプレイ９の近傍には客側の表示部として機能する客側ディスプレイ１０が立設されている。さらに、このＰＯＳ端末１には、商品に付される商品コードを光学的に読み取るためのバーコードスキャナ１１が接続されている。加えて、クレジットカード（図示せず）の磁気ストライプに記録されたデータの読み取りを行うための磁気カードリーダ１２が、ＰＯＳ端末１の右側下方に設けられている。
【００１７】
ここで、図２はキーボード４の各種キーの配列を示す平面図である。キーボード４は、数字を入力するための「０」から「９」までの置数キー４ａ、売上登録処理において現金による決済を宣言するための締めキーである預／現計キー４ｂ、所定事項をクリアするクリアキーであるＣキー４ｃ、所定事項を確認した旨を宣言する確認キー４ｄ、所定事項や処理の中止を宣言する中止キー４ｅ、両替を宣言する両替キー４ｆ等をブロック毎に配列した外観構造を有している。また、４ａ〜４ｆ以外のキーについては、従来のＰＯＳ端末やＥＣＲが備えるキーであって本実施の形態のＰＯＳ端末１に特有の機能とは無関係であるため、その説明は省略する。
【００１８】
次に、ＰＯＳ端末１に備えられる各部の電気的接続を図３に基づいて説明する。図３に示すように、このＰＯＳ端末１は、Microcomputer（以下、マイコンという。）１３を内蔵し、このマイコン１３が、前述したキーボード４、コントロールキー５、プリンタ６、ディスプレイ９、客側ディスプレイ１０、バーコードスキャナ１１、磁気カードリーダ１２等の各部をバスライン１４と各種制御回路（図示せず）とを介して駆動制御する。また、マイコン１３は、ＣＰＵ（Central Processing Unit）１５にバスライン１４を介して、起動プログラム等の固定的データを格納する記録媒体であるＲＯＭ（Read Only Memory）１６と各種データを書き替え自在に格納するＲＡＭ（Random Access Memory）１７とを接続することにより構成されている。ＲＡＭ１７は、可変的なデータを書き替え自在に格納する機能を利用して、各種ワークエリアの機能を果たす。なお、ＲＡＭ１７は、バッテリ（図示せず）によってバックアップされている。
【００１９】
また、マイコン１３にはバスライン１４を介してＨＤＤ（Hard Disk Drive）１８が接続されており、このＨＤＤ１８には、マイコン１３を動作させる制御プログラムや商品マスタファイル、売上登録に係る売上情報を記憶保持する売上ファイル、顧客ファイル等が格納されている。
【００２０】
さらに、マイコン１３にはバスライン１４を介して通信Ｉ／Ｆ１９が接続されており、このＰＯＳ端末１は、硬貨入出金装置２及び紙幣入出金装置３等に接続可能になっている。すなわち、通信Ｉ／Ｆ１９は、貨幣入出金装置である硬貨入出金装置２及び紙幣入出金装置３とのデータ通信を司るデータ通信手段として機能する。
【００２１】
ここで、ＰＯＳ端末１に内蔵されたＨＤＤ１８に格納された制御プログラムがマイコン１３に実行させる機能の内、商品の販売に係る販売データ処理機能における処理動作について簡単に説明する。例えば、商品に付された商品コードをバーコードスキャナ１１によって読み取ると、マイコン１３は読み取った商品コードに基づいて商品マスタファイルを検索し、該当する商品コードに対応した商品名や単価等を読み出し、商品コード、商品名、単価等に基づいて売上登録処理するとともに、部門別登録やディスプレイ９や客側ディスプレイ１０への表示、またプリンタ２０により印字出力を行い、さらに売上登録した売上登録データを売上ファイルに累計する。
【００２２】
[硬貨入出金装置２の説明]
次いで、貨幣入出金装置としての硬貨入出金装置２について説明する。図１に示すように、硬貨入出金装置２は、例えばＰＯＳ端末１の下段に配置されて使用される。図１に示すように、硬貨入出金装置２の筐体であるハウジング２１の右側手前には、硬貨を一括して投入する上方に開口した硬貨投入口２２が設けられている。この硬貨投入口２２には、光電的に硬貨の有無を検出する複数組の投入口センサ２３（図４参照）が設けられている。
【００２３】
ここで、図４は硬貨入出金装置２の内部構造を示す平面図、図５は硬貨入出金装置２の内部構造を示す縦断側面図である。ハウジング２１の内部には、駆動機構Ａが内蔵されている。以下において、駆動機構Ａについて詳述する。
【００２４】
硬貨投入口２２には、駆動源であるモータＭ（図６参照）に連結されて駆動され、投入された硬貨を奥に向けて搬送する投入口ベルト２４が設けられている。この投入口ベルト２４上には硬貨投入口２２の一端に位置させて不規則に投入された硬貨を一枚ずつ送り出すための投入口ローラ２５が設けられている。また、投入口ベルト２４には、モータＭ（図６参照）に連結されて駆動され、硬貨の送り速度を速めて所定の隙間をあけてそれぞれの硬貨を送ることができるように搬送速度を速めた搬送ベルト２６が連設されている。さらに、搬送ベルト２６の終端部分には、搬送方向を略直角に屈曲する硬貨案内部２７と、硬貨入出金装置２の幅方向に略平行に設けられ、硬貨案内部２７によって搬送方向が略直角に屈曲された硬貨を硬貨選別位置（後述する硬貨選別部３１）に搬送する搬送機構２８が設けられている。
【００２５】
したがって、投入口ベルト２４、投入口ローラ２５、搬送ベルト２６、硬貨案内部２７及び搬送機構２８によって、硬貨投入口２２に投入された硬貨を硬貨選別位置までの硬貨搬送経路を形成して搬送する硬貨搬送部２９が構成されている。
【００２６】
搬送機構２８の下方には、この搬送機構２８に沿わせて順次孔幅寸法が拡大する金種毎の選別孔３０が設けられ、ここに硬貨選別位置に位置し、搬送された硬貨を金種別に選別する硬貨選別部３１が形成されている。選別孔３０は、図４において右側から１円，５０円，５円，１００円，１０円，５００円の順にそれぞれの金種に対応する大きさで６個設けられている。そして、各選別孔３０には、金種毎に硬貨の枚数をカウントするための計数センサ３２が設けられている。選別孔３０は、順次孔幅寸法が拡大する金種毎の孔が形成された板状部材であって、仕切板３３により金種毎に仕切られた上方開口の硬貨収納部３４（３４ａないし３４ｆ）に連通している。
【００２７】
次に、硬貨収納部３４、硬貨待機部３９等について説明する。図５に示すように、硬貨収納部３４のそれぞれの金種毎の底面部分には、駆動源であるモータＭに連結されて駆動されるエンドレスベルトである硬貨払出ベルト３５が駆動ローラ３６と従動ローラ３７とに掛け渡されて設けられている。すなわち、モータＭは硬貨搬送方向下流側に位置する駆動ローラ３６を回転駆動することで、硬貨払出ベルト３５を引っ張りながら回転させることになる。そして、硬貨収納部３４の出口部には、硬貨を一枚毎に分離する分離ローラ３８が、硬貨払出ベルト３５に対して硬貨一枚が通過し得る間隔を隔てて配設され、かつ、全ての金種の出口部をそれらの金種毎に横断するように配設されている。
【００２８】
また、図５に示すように、硬貨払出ベルト３５の内周側には、硬貨払出ベルト３５の内周面を受ける略平板状のベルト案内板（ベルト案内部材）４０が配設され、全体として硬貨搬送方向下流側に向かうに従い高さが高くなるような昇斜面を形成するように傾斜配置されている。
【００２９】
分離ローラ３８よりも硬貨搬送方向下流には、所定枚数の硬貨を一列に整列させて、待機させる硬貨待機部３９が金種毎に設けられている。なお、硬貨待機部３９は、硬貨払出ベルト３５を備えており、硬貨払出経路としても機能する。
【００３０】
各硬貨待機部３９には、払出ソレノイド４１に連結されていてそれぞれ金種別に硬貨を一時的に停止させるとともに必要枚数の硬貨を送り出すように動作制御がなされる硬貨シャッタ４２がそれぞれ設けられている。
【００３１】
硬貨シャッタ４２の直後には、金種毎に払い出された硬貨の枚数を計数する光センサである払出センサ４３や、硬貨の材質を検出するための発振コイルである材質センサ４４がそれぞれ設けられている。
【００３２】
さらに、硬貨払出ベルト３５によって硬貨を金種別に落下させる硬貨払出位置であって、ハウジング２１の左側手前には、上面が開口した筐体状の硬貨払出口４５が配置されている。この硬貨払出口４５は、左側に偏位させて設けられている。また、この硬貨払出口４５の上方には、表示器４６及び各種の操作キー４７が設けられている。
【００３３】
続いて、このような構成の硬貨入出金装置２に内蔵される各部の電気的接続について図６を参照して説明する。図６は、硬貨入出金装置２に内蔵される各部の電気的接続を示すブロック図である。
【００３４】
図６に示すように、本実施の形態の硬貨入出金装置２は、Microcomputer（以下、マイコンという。）５１を内蔵し、このマイコン５１が各部を駆動制御する。マイコン５１は、各部を集中的に制御するＣＰＵ（Central Processing Unit）５２に、アドレスバス、データバス等のバスライン５３を介して、制御プログラム等の固定的データを予め格納するＲＯＭ（Read Only Memory）５４と、金種別の硬貨Ｃの枚数等の可変的なデータを書き換え自在に格納するＲＡＭ（Random Access Memory）５５と、ＰＯＳ端末が接続される通信インターフェース（Ｉ／Ｆ）５６とが接続されて構成されている。なお、ＲＡＭ５５は、バッテリ（図示せず）によってバックアップされている。
【００３５】
ＲＯＭ５４に格納された制御プログラムは、マイコン５１による各部の駆動制御を可能とする。こうしてマイコン５１によって駆動制御される各部として、本実施の形態の硬貨入出金装置２は、バスライン５３を介してマイコン５１に接続された操作表示部である表示器４６及び各種の操作キー４７、モータＭを駆動源とする駆動機構Ａ、及び払出ソレノイド４１を備える。そして、各種のセンサ類、つまり、投入口センサ２３、計数センサ３２、払出センサ４３及び材質センサ４４も、バスライン５３を介してマイコン５１に接続され、それらのセンシング結果がマイコン５１に伝達される。
【００３６】
投入口センサ２３、計数センサ３２、払出センサ４３及び材質センサ４４等のセンサ類は、例えば硬貨Ｃを光学的に検出した信号やコイルの電圧の変動等をマイコン５１に伝達するものであり、この検出信号に基づいてマイコン５１が各モータＭを駆動制御する。また、払出ソレノイド４１は、マイコン５１から出力される信号に基づき駆動制御され、通電（ＯＮ）されることで硬貨シャッタ４２を硬貨払出ベルト３５から離反する方向に変位させ、指定された枚数だけ硬貨Ｃを払い出す。なお、払出ソレノイド４１は、ここでは１つしか図示しないが、実際には各金種毎に個々にマイコン５１によって制御される。
【００３７】
ここで、硬貨入出金装置２に内蔵されたＲＯＭ５４に格納された制御プログラムがマイコン５１に実行させる機能に基づく処理動作について簡単に説明する。硬貨Ｃが硬貨投入口２２に投入されると、投入口センサ２３がその硬貨Ｃを検出し、この検出信号により投入口ベルト２４、投入口ローラ２５、搬送ベルト２６、搬送機構２８が駆動される。そして、硬貨投入口２２に投入された硬貨Ｃは、投入口ベルト２４と投入口ローラ２５との間で１枚ずつ分離されて搬送される。その後、搬送ベルト２６により搬送される硬貨Ｃは、硬貨案内部２７によって搬送方向が略直角に屈曲され、搬送ベルト２６から搬送機構２８に受け渡され、硬貨選別部３１で金種毎の選別がなされる。すなわち、硬貨Ｃは、金種に応じて選別孔３０から落下し、硬貨収納部３４ａ〜３４ｆに金種別に収納される。そして、選別孔３０から落下した硬貨Ｃは、計数センサ３２によりその数がカウントされる。ここに、投入金額検出手段の機能が実行される。計数センサ３２による各カウント数は、ＰＯＳ端末１に通知される。
【００３８】
また、硬貨待機部３９に硬貨Ｃがない場合には、硬貨払出ベルト３５が駆動されて硬貨待機部３９に所定枚数の硬貨Ｃが常に存在するように動作制御がなされる。
【００３９】
次いで、ＰＯＳ端末１において締め処理がなされ、ＰＯＳ端末１より硬貨Ｃの払出命令があった場合には、硬貨払出ベルト３５が駆動されるとともに、金種毎に硬貨シャッタ４２が払出ソレノイド４１によって駆動されるため、必要枚数の硬貨Ｃが送り出される。このように送り出された硬貨Ｃは、硬貨払出口４５に払い出される。
【００４０】
[紙幣入出金装置３の説明]
次いで、貨幣入出金装置としての紙幣入出金装置３について説明する。図１に示すように、紙幣入出金装置３は、例えばＰＯＳ端末１の下段に配置されて使用される。
【００４１】
ここで、図７は紙幣入出金装置３の構成を模式的に示す説明図である。図１及び図７に示すように、紙幣入出金装置３の筐体であるハウジング６１の前部側の上部位置に入金口部６２が、前部側下部位置に出金口部６３がそれぞれ開口され、これら入金口部６２と出金口部６３との間の位置に回収カセット６４が抜取り可能に設けられている。
【００４２】
入金口部６２は、複数枚の紙幣を同時に挿入し得る入金口６２ａを有している。出金口部６３は、ハウジング６１の前面６１ａより若干突出し、複数枚の紙幣を同時に排出し得る出金口６３ａを有している。回収カセット６４は、扁平な箱構造を有し、ハウジング６１の前端から奥方向に向けて形成されたハウジング６１内にスライド可能に挿入されている。
【００４３】
また、ハウジング６１の後部側に、紙幣を金種別に収納し繰出しする金種別紙幣収納部６５，６６が上下に重層状に配設されている。
【００４４】
なお、本実施の形態では、上位の金種別紙幣収納部６５を５千円紙幣用とされ、下位の金種別紙幣収納部６６が千円紙幣用とされており、回収カセット６４は１万円紙幣および前記各収納部６５，６６でのオーバーフロー紙幣が収納される。
【００４５】
そして、前記入金口部６２、回収カセット６４、出金口部６３と金種別紙幣収納部６５，６６との間には、前記入金口部６２、回収カセット６４、出金口部６３の各後端位置、すなわち入金口部６２の繰込み口６２ｂ、回収カセット６４の入口６７、出金口部６３の入口６３ｂへの各通路を集約する搬送路６８と、各金種別紙幣収納部６５，６６の先端位置の各出入口６９，７０への各通路を集約する搬送路７１とを接続する側面視略Ｓ字状（図では裏面側から見ているので左右逆）をなす１本の搬送通路７２が配設されている。
【００４６】
このような紙幣入出金装置３における紙幣の搬送系は、図７に示すように、紙幣入出金装置３のハウジング６１の前部側に配設される入金口部６２の後端位置の繰込み口６２ｂ、回収カセット６４の後端位置の入口６７、出金口部６３の後端位置入口６３ｂへの各通路を集約した搬送路６８と、ハウジング６１の後部側に配設された金種別紙幣収納部６５，６６の前端位置の出入口６９，７０への通路を集約した搬送路７１と、これら搬送路６８，７１を接続する側面視略Ｓ字状の１本の搬送通路７２とで構成されている。
【００４７】
また、回収カセット６４への分岐部、出金口部６３への分岐部、上部の金種別紙幣収納部６５への分岐部にはそれぞれ切換爪（図示せず）が設けられており、各切換爪は後述するマイコン８４からの指令に基づいて各ソレノイド９０（図８参照）により切換え動作されるようになっている。
【００４８】
入金口部６２には、紙幣の挿入を光電的に検出する投入口センサ８１（図８参照）と挿入された紙幣の種別を判別する紙幣種別判別センサ８２（図８参照）とが設けられている。また、紙幣の搬送系の各部には、紙幣の有無を光電的に検出する紙幣センサ８３（図８参照）が設けられている。
【００４９】
続いて、このような構成の紙幣入出金装置３に内蔵される各部の電気的接続について図８を参照して説明する。図８は、紙幣入出金装置３に内蔵される各部の電気的接続を示すブロック図である。
【００５０】
図８に示すように、本実施の形態の紙幣入出金装置３は、Microcomputer（以下、マイコンという。）８４を内蔵し、このマイコン９４が各部を駆動制御する。マイコン８４は、各部を集中的に制御するＣＰＵ（Central Processing Unit）８５に、アドレスバス、データバス等のバスライン８６を介して、制御プログラム等の固定的データを予め格納するＲＯＭ（Read Only Memory）８７と、金種別の紙幣の枚数等の可変的なデータを書き換え自在に格納するＲＡＭ（Random Access Memory）８８と、ＰＯＳ端末が接続される通信インターフェース（Ｉ／Ｆ）８９とが接続されて構成されている。なお、ＲＡＭ８８は、バッテリ（図示せず）によってバックアップされている。
【００５１】
ＲＯＭ８７に格納された制御プログラムは、マイコン８４による各部の駆動制御を可能とする。こうしてマイコン８４によって駆動制御される各部として、本実施の形態の紙幣入出金装置３は、バスライン８６を介してマイコン８４に接続されたモータＭを駆動源として紙幣の搬送系を構成する駆動機構９１及びソレノイド９０を備える。そして、各種のセンサ類、つまり、投入口センサ８１、紙幣種別判別センサ８２及び紙幣センサ８３も、バスライン８６を介してマイコン８４に接続され、それらのセンシング結果がマイコン８４に伝達される。
【００５２】
ここで、紙幣入出金装置３に内蔵されたＲＯＭ８７に格納された制御プログラムがマイコン８４に実行させる機能に基づく処理動作について簡単に説明する。紙幣が入金口部６２に挿入されると、投入口センサ８１がその紙幣を検出し、この検出信号により駆動機構９１が駆動される。そして、入金口部６２に挿入された紙幣は、駆動機構９１により１枚ずつ分離されて搬送される。
【００５３】
その過程で、紙幣種別判別センサ８２の出力信号によって紙幣の金種が判別される。紙幣の金種判別は、例えば、紙幣の搬送速度から認識可能な紙幣の長さに基づいてなされる。もっとも、紙幣種別判別センサ８２として、紙幣の特徴を採取可能なセンサを設ければ、紙幣の特徴に基づいて紙幣の金種を判別することも可能である。
【００５４】
紙幣の金種が判別されたら、その金種が対応する金種別紙幣収納部６５，６６又は回収カセット６４に搬送中の紙幣を収納する。そのために、マイコン８４は、紙幣を収納しようとする金種別紙幣収納部６５，６６又は回収カセット６４の近傍に紙幣が到達する直前にソレノイド９０を駆動し、切換爪を回動させる。これにより、紙幣は、金種対応の金種別紙幣収納部６５，６６又は回収カセット６４に収納される。そして、金種が判別された紙幣は、その数がカウントされる。ここに、投入金額検出手段の機能が実行される。各カウント数は、ＰＯＳ端末１に通知される。
【００５５】
次いで、ＰＯＳ端末１において締め処理がなされ、ＰＯＳ端末１より紙幣の払出命令があった場合には、駆動機構９１が駆動され、必要枚数の紙幣が送り出される。このように送り出された紙幣は、出金口６３ａに払い出される。
【００５６】
[預り金額不正防止機能についての説明]
続いて、ＰＯＳ端末１に内蔵されたＨＤＤ１８に格納された制御プログラムがマイコン１３に実行させる預り金額不正防止機能について説明する。本実施の形態においては、顧客から受け取った受取金額が商品販売の代金である場合について説明する。
【００５７】
図９は、支払い操作時の預り金額不正防止処理の流れを示すフローチャートである。図９に示すように、ＰＯＳ端末１のマイコン１３は、締めキーである預／現計キー４ｂが押下されたと判断すると（ステップＳ１のＹ）、締めキーである預／現計キー４ｂ押下前に置数キー４ａの押下による置数があったか否かを判断する（ステップＳ２）。
【００５８】
締めキーである預／現計キー４ｂ押下前に置数キー４ａの押下による置数があったと判断した場合には（ステップＳ２のＹ）、置数を“投入予定額”としてディスプレイ９の画面に表示するとともに（ステップＳ３：受取金額入力手段）、硬貨入出金装置２及び紙幣入出金装置３からの投入貨幣のカウント数を受信すると（ステップＳ４のＹ：投入金額受信手段）、投入金額を画面表示する（ステップＳ５）。
【００５９】
図１０は、ディスプレイ９の画面に表示されている預り金額計数ダイアログを示す正面図である。預り金額計数ダイアログの「予定額」領域は、入力（置数）された金額を表示する領域である。なお、入力（置数）されなかった場合には（ステップＳ２のＹ）、投入予定額を非表示にする。預り金額計数ダイアログの「お預り額」領域は、硬貨入出金装置２及び紙幣入出金装置３への貨幣の投入合計額を表示する。また、硬貨入出金装置２及び紙幣入出金装置３に対して新たに投入された貨幣のカウント数を受信すると、「お預り額」領域の投入合計額が更新される。預り金額計数ダイアログの「合計」領域は、取引の合計額を表示する。預り金額計数ダイアログの「預り」領域は、硬貨入出金装置２及び紙幣入出金装置３へ投入された金額により、預り額を仮更新する。預り金額計数ダイアログの「残高」領域は、硬貨入出金装置２及び紙幣入出金装置３へ投入された金額により、残高を仮更新する。一方、図１１は、客側ディスプレイ１０の画面表示を示す正面図である。図１１に示すように、客側ディスプレイ１０には、ディスプレイ９の画面に表示されている預り金額計数ダイアログの「お預り額」領域と同じ投入合計額を表示する。
【００６０】
ステップＳ４〜Ｓ５の処理は、ステップＳ６でキー操作があったと判断されるまで、繰り返される。
【００６１】
ステップＳ６で確認キー４ｄが押下されたと判断した場合には、ステップＳ７に進み、“投入予定額”と実際の投入額とを比較する。ここに、比較手段の機能が実行される。なお、ステップＳ６で中止キー４ｅが押下されたと判断した場合には、硬貨入出金装置２及び紙幣入出金装置３に対して投入額を全額排出する旨の通知をして（ステップＳ１５）、ステップＳ１に戻る。
【００６２】
実際の投入額が“投入予定額”よりも少ない場合には、ステップＳ８に進み、ディスプレイ９及び客側ディスプレイ１０に例えば「投入金額が不足しています」というエラー表示をし、Ｃキー４ｃが押下されたことを条件として（ステップＳ９のＹ）、ステップＳ４に戻り、硬貨入出金装置２及び紙幣入出金装置３からの投入貨幣のカウント数の受信に待機する。すなわち、投入金額が不足している場合には、Ｃキー４ｃを押下した後、不足分を硬貨入出金装置２及び紙幣入出金装置３に投入することになる。ここに、貨幣入出金装置である硬貨入出金装置２及び紙幣入出金装置３における貨幣払出処理を禁止する貨幣払出処理禁止手段の機能が実行される。
【００６３】
一方、実際の投入額が“投入予定額”と同じ場合、または、“投入予定額”の入力（置数）が無かった場合には、硬貨入出金装置２及び紙幣入出金装置３に対して貨幣の投入を禁止する「投入停止」信号を通知し（ステップＳ１０）、投入金額を預り金額として支払い処理を実行し（ステップＳ１１）、処理を終了する。
【００６４】
また、実際の投入額が“投入予定額”よりも多い場合には、ステップＳ１２に進み、ディスプレイ９及び客側ディスプレイ１０に例えば「投入予定額を超えた金額が投入されました。投入予定額を変更しますか？」というワーニング表示をする。ここに、警告手段の機能が実行される。その後、確認キー４ｄが押下されたことを条件として（ステップＳ１３のＹ）、ステップＳ１０に進み、硬貨入出金装置２及び紙幣入出金装置３に対して貨幣の投入を禁止する「投入停止」信号を通知し、投入金額を預り金額として支払い処理を実行し（ステップＳ１１）、処理を終了する。すなわち、投入金額が多い場合に確認キーが押下された場合、実際の投入額を“投入予定額”とすることにより、置数キー４ａによる置数に基づく“投入予定額”を超えた分が排出されることになる。
【００６５】
なお、中止キー４ｅが押下されたと判断した場合には（ステップＳ１４のＹ）、硬貨入出金装置２及び紙幣入出金装置３に対して投入額を全額排出する旨の通知をして（ステップＳ１５）、ステップＳ１に戻る。すなわち、投入金額が多い場合に中止キー４ｅが押下された場合、硬貨入出金装置２及び紙幣入出金装置３に投入された投入額が全額排出されることになる。
【００６６】
このように本実施の形態においては、貨幣入出金装置である硬貨入出金装置２及び紙幣入出金装置３に対して投入された投入金額と入力された受取金額とを比較し、投入金額が少ないと判断した場合には、硬貨入出金装置２及び紙幣入出金装置３における貨幣払出処理が禁止される。これにより、顧客から受け取った貨幣の金額を入力処理する釣銭先行モードであっても、必ず硬貨入出金装置２及び紙幣入出金装置３に対して投入された投入金額と入力された受取金額とが比較され、投入金額が受取金額よりも少ないと判断された場合には硬貨入出金装置２及び紙幣入出金装置３における貨幣払出処理が禁止され、オペレータが受取金額の一部又は全部を盗むという不正を防止することが可能になる。
[第二の実施の形態]
次に、本発明の第二の実施の形態について図１２ないし図１４を参照して説明する。なお、前述した第一の実施の形態と同一部分は同一符号で示し説明も省略する。第一の実施の形態においては、顧客から受け取った受取金額が商品販売の代金である場合について説明したが、本実施の形態においては、顧客から受け取った受取金額が両替金である点で第一の実施の形態とは異なるものである。
【００６７】
[預り金額不正防止機能についての説明]
図１２は、両替処理の流れを示すフローチャートである。図１２に示すように、ＰＯＳ端末１のマイコン１３は、両替キー４ｆが押下されたと判断すると（ステップＳ２１のＹ）、両替キー４ｆ押下前に置数キー４ａの押下による置数があったか否かを判断する（ステップＳ２２）。
【００６８】
両替キー４ｆ押下前に置数キー４ａの押下による置数があったと判断した場合には（ステップＳ２２のＹ）、置数を“投入予定額”としてディスプレイ９の画面に表示するとともに（ステップＳ２３：受取金額入力手段）、硬貨入出金装置２及び紙幣入出金装置３からの投入貨幣のカウント数を受信すると（ステップＳ２４のＹ：投入金額受信手段）、投入金額を画面表示する（ステップＳ２５）。
【００６９】
図１３は、ディスプレイ９の画面に表示されている両替金額計数ダイアログを示す正面図である。両替金額計数ダイアログの「投入予定額」領域は、入力（置数）された金額を表示する領域である。なお、入力（置数）されなかった場合には（ステップＳ２２のＹ）、投入予定額を非表示にする。両替金額計数ダイアログの「投入額」領域は、硬貨入出金装置２及び紙幣入出金装置３への貨幣の投入合計額を表示する。また、硬貨入出金装置２及び紙幣入出金装置３に対して新たに投入された貨幣のカウント数を受信すると、「投入額」領域の投入合計額が更新される。両替金額計数ダイアログの「差額」領域は、投入額と投入予定額の差額を表示する。なお、投入予定額が表示されていない場合には、表示しない。一方、図１４は、客側ディスプレイ１０の画面表示を示す正面図である。図１４に示すように、客側ディスプレイ１０には、ディスプレイ９の画面に表示されている両替金額計数ダイアログの「投入額」領域と同じ投入合計額を表示する。
【００７０】
ステップＳ２４〜Ｓ２５の処理は、ステップＳ２６でキー操作があったと判断されるまで、繰り返される。
【００７１】
ステップＳ２６で確認キー４ｄが押下されたと判断した場合には、ステップＳ２７に進み、“投入予定額”と実際の投入額とを比較する。ここに、比較手段の機能が実行される。なお、ステップＳ２６で中止キー４ｅが押下されたと判断した場合には、硬貨入出金装置２及び紙幣入出金装置３に対して投入額を全額排出する旨の通知をして（ステップＳ３６）、ステップＳ２１に戻る。
【００７２】
実際の投入額が“投入予定額”よりも少ない場合には、ステップＳ２８に進み、ディスプレイ９及び客側ディスプレイ１０に例えば「投入金額が不足しています」というエラー表示をし、Ｃキー４ｃが押下されたことを条件として（ステップＳ２９のＹ）、ステップＳ２４に戻り、硬貨入出金装置２及び紙幣入出金装置３からの投入貨幣のカウント数の受信に待機する。すなわち、投入金額が不足している場合には、Ｃキー４ｃを押下した後、不足分を硬貨入出金装置２及び紙幣入出金装置３に投入することになる。ここに、貨幣入出金装置である硬貨入出金装置２及び紙幣入出金装置３における貨幣払出処理を禁止する貨幣払出処理禁止手段の機能が実行される。
【００７３】
一方、実際の投入額が“投入予定額”と同じ場合、または、“投入予定額”の入力（置数）が無かった場合には、硬貨入出金装置２及び紙幣入出金装置３に対して貨幣の投入を禁止する「投入停止」信号を通知し（ステップＳ３０）、投入金額を両替金額として「レジ両替処理」を実行し（ステップＳ３１）、処理を終了する。
【００７４】
また、実際の投入額が“投入予定額”よりも多い場合には、ステップＳ３２に進み、ディスプレイ９及び客側ディスプレイ１０に例えば「投入予定額を超えた金額が投入されました。投入予定額を変更しますか？」というワーニング表示をする。ここに、警告手段の機能が実行される。その後、確認キー４ｄが押下されたことを条件として（ステップＳ３３のＹ）、余剰金額（投入金額−投入額）の排出信号を硬貨入出金装置２及び紙幣入出金装置３に対して送信した後（ステップＳ３４）、ステップＳ１０に進み、硬貨入出金装置２及び紙幣入出金装置３に対して貨幣の投入を禁止する「投入停止」信号を通知し、投入金額を預り金額として支払い処理を実行し（ステップＳ３１）、処理を終了する。すなわち、投入金額が多い場合に確認キーが押下された場合、余剰金額（投入金額−投入額）を排出した後、両替がなされることになる。
【００７５】
なお、中止キー４ｅが押下されたと判断した場合には（ステップＳ３５のＹ）、硬貨入出金装置２及び紙幣入出金装置３に対して投入額を全額排出する旨の通知をして（ステップＳ３６）、ステップＳ２１に戻る。すなわち、投入金額が多い場合に中止キー４ｅが押下された場合、硬貨入出金装置２及び紙幣入出金装置３に投入された投入額が全額排出されることになる。
【００７６】
このように本実施の形態においては、貨幣入出金装置である硬貨入出金装置２及び紙幣入出金装置３に対して投入された投入金額と入力された受取金額とを比較し、投入金額が少ないと判断した場合には、硬貨入出金装置２及び紙幣入出金装置３における貨幣払出処理が禁止される。これにより、顧客から受け取った貨幣の金額を入力処理する釣銭先行モードであっても、必ず硬貨入出金装置２及び紙幣入出金装置３に対して投入された投入金額と入力された受取金額とが比較され、投入金額が受取金額よりも少ないと判断された場合には硬貨入出金装置２及び紙幣入出金装置３における貨幣払出処理が禁止され、オペレータが受取金額の一部又は全部を盗むという不正を防止することが可能になる。
【００７７】
なお、各実施の形態においては、ＰＯＳ端末１、硬貨入出金装置２、紙幣入出金装置３の各筐体をそれぞれ別体で形成するようにしたが、これに限るものではなく、各筐体をそれぞれ一体化して形成して商品販売データ処理システムとして動作するようにしても良い。この場合、硬貨入出金装置２及び紙幣入出金装置３が貨幣入出金部であり、ＰＯＳ端末１が商品販売データ処理部である。
【００７８】
また、各実施の形態では、制御プログラムがＨＤＤ１８に格納されていたが、これに限るものではなく、フレキシブルディスク、ＣＤ−ＲＯＭ（いずれも図示せず）等の各種記憶媒体に制御プログラムを格納しても良い。なお、フレキシブルディスク、ＣＤ−ＲＯＭは、ＰＯＳ端末１に固定的に設けられておらず、単体で取り扱える交換自在な記憶媒体としての形態を備え、フレキシブルディスクドライブやＣＤ−ＲＯＭドライブ（いずれも図示せず）を用いることによって制御プログラムを読み出すことでマイコン１３による各種処理が可能になる。
【図面の簡単な説明】
【００７９】
【図１】本発明の第一の実施の形態のＰＯＳ端末、硬貨入出金装置及び紙幣入出金装置の外観を示す斜視図である。
【図２】キーボードの各種キーの配列を示す平面図である。
【図３】ＰＯＳ端末に備えられる各部の電気的接続を示すブロック図である。
【図４】硬貨入出金装置の内部構造を示す平面図である。
【図５】硬貨入出金装置の内部構造を示す縦断側面図である。
【図６】硬貨入出金装置に内蔵される各部の電気的接続を示すブロック図である。
【図７】紙幣入出金装置の構成を模式的に示す説明図である。
【図８】紙幣入出金装置に内蔵される各部の電気的接続を示すブロック図である。
【図９】支払い操作時の預り金額不正防止処理の流れを示すフローチャートである。
【図１０】ディスプレイの画面に表示されている預り金額計数ダイアログを示す正面図である。
【図１１】客側ディスプレイの画面表示を示す正面図である。
【図１２】本発明の第二の実施の形態の両替処理の流れを示すフローチャートである。
【図１３】ディスプレイの画面に表示されている両替金額計数ダイアログを示す正面図である。
【図１４】客側ディスプレイの画面表示を示す正面図である。
【符号の説明】
【００８０】
１…商品販売データ処理装置，商品販売データ処理部、２…貨幣入出金装置，貨幣入出金部、３…貨幣入出金装置，貨幣入出金部、１９…データ通信手段
【図１】
2005228098.tif 000003
【図２】
2005228098.tif 000004
【図３】
2005228098.tif 000005
【図４】
2005228098.tif 000006
【図５】
2005228098.tif 000007
【図６】
2005228098.tif 000008
【図７】
2005228098.tif 000009
【図８】
2005228098.tif 000010
【図９】
2005228098.tif 000011
【図１０】
2005228098.tif 000012
【図１１】
2005228098.tif 000013
【図１２】
2005228098.tif 000014
【図１３】
2005228098.tif 000015
【図１４】
2005228098.tif 000016